(57)【要約】【課題】エレベータの利用者が乗りかごに乗り込んだ際に防犯カメラの存在をその利用者に確実に認識させて犯罪やマナー違反の抑止効果を高めることができるエレベータの防犯装置を提供する。【解決手段】エレベータの乗りかご６には、かご６内の様子を撮影する防犯カメラ１８と、かご６内への利用者の乗り込みを検知する人感センサ２０と、この人感センサ２０が利用者を検知する信号に基づいて前記防犯カメラ１８の存在を前記利用者に音声で報知する音声発生器２１とが設けられている。利用者が乗りかご６に乗り込むと、これが人感センサ２０により検知され、この検知の信号に基づいて防犯カメラ１８の存在が音声発生器２１による音声で利用者に報知される。したがって、利用者は防犯カメラ１８の存在を確実に認識し、この認識に基づいて犯罪やマナー違反の抑止効果を高めることができる。【選択図】    図１
2008024414.tif 000002
【特許請求の範囲】
【請求項１】
防犯カメラを備える乗りかごと、
この乗りかごへの利用者の乗り込みを検知する人感センサと、
この人感センサが利用者を検知する信号に基づいて前記防犯カメラの存在を前記利用者に報知する報知手段と、
を具備することを特徴とするエレベータの防犯装置。
【請求項２】
前記報知手段は、前記防犯カメラの存在を音声で利用者に報知することを特徴とする請求項１に記載のエレベータの防犯装置。
【請求項３】
前記報知手段は、前記防犯カメラの存在を音声及び文字の表示で利用者に報知することを特徴とする請求項１に記載のエレベータの防犯装置。
【請求項４】
前記報知手段の音声による報知は、前記乗りかごのかごドアが開きかけてから閉じかける間であって好ましくは閉じかけるときに１回のみ行なわれることを特徴とする請求項２に記載のエレベータの防犯装置。
【発明の詳細な説明】
【技術分野】
【０００１】
この発明は、乗りかご内の様子を撮影する防犯カメラを備えたエレベータの防犯装置に関する。
【背景技術】
【０００２】
近年、防犯上の観点からマンションなどの集合住宅や公共施設の建物などのエレベータにあっては、例えば特開２００６−１３７５８９公報に見られるように乗りかご内に防犯カメラを設置し、その防犯カメラで乗りかご内の様子を撮影する防犯システムが採用されるようになってきている。
【特許文献１】特開２００６−１３７５８９公報
【発明の開示】
【発明が解決しようとする課題】
【０００３】
乗りかご内に防犯カメラが設置され、その防犯カメラにより乗りかご内の様子がモニターされ、あるいは録画されれば、乗りかご内で犯罪が発生した際にその対応に役立つばかりでなく、防犯カメラが設置されていること自体で犯罪の発生を抑止することができる点で有効である。また、犯罪とは言えないまでも、乗りかご内に乗り込んだ利用者のいたずら書きなどのマナーに反する行為も抑止することができる。
【０００４】
このような犯罪やマナー違反の抑止効果を期待するためには、乗りかご内に乗り込んだ利用者にその防犯カメラの存在を認識させることが重要である。
【０００５】
ところが近年の防犯カメラは、外観的体裁を高めるためにドーム型などの一見してカメラであるとは認識できない形態のものが多くなってきており、また乗りかご内の意匠性を高めるために、防犯カメラを乗りかご内から目視しずらい位置に設置することが多くなってきている。
【０００６】
このような場合、乗りかご内に乗り込んだ利用者は防犯カメラを認識せず、結果的にその防犯カメラによる犯罪やマナー違反の抑止効果を期待することができなくなってしまう。
【０００７】
この発明はこのような点に着目してなされたもので、その目的とするところは、利用者が乗りかごに乗り込んだ際に防犯カメラの存在をその利用者に確実に認識させて犯罪やマナー違反の抑止効果を高めることができるエレベータの防犯装置を提供することにある。
【課題を解決するための手段】
【０００８】
請求項１の発明は、防犯カメラを備える乗りかごと、この乗りかごへの利用者の乗り込みを検知する人感センサと、この人感センサが利用者を検知する信号に基づいて前記防犯カメラの存在を前記利用者に報知する報知手段とを具備することを特徴としている。
【０００９】
請求項２の発明は、前記報知手段が、前記防犯カメラの存在を音声で利用者に報知することを特徴としている。
【００１０】
請求項３の発明は、前記報知手段が、前記防犯カメラの存在を音声及び文字の表示で利用者に報知することを特徴としている。
【００１１】
請求項４の発明は、前記報知手段の音声による報知が、前記乗りかごのかごドアが開きかけてから閉じかける間であって好ましくは閉じかけるときに１回のみ行なわれることを特徴としている。
【発明の効果】
【００１２】
この発明によれば、利用者が乗りかごに乗り込んだ際に防犯カメラの存在をその利用者に確実に認識させて犯罪やマナー違反の抑止効果を高めることができる。
【発明を実施するための最良の形態】
【００１３】
以下、この発明の実施形態について図面を参照して説明する。  
図１には、エレベータの全体の構成を示してあり、建物の昇降路１の上部には機械室２が設けられ、この機械室２内に巻上機３が設置されている。巻上機３はトラクションシーブ４を備え、このトラクションシーブ４にメインロープ５が巻き掛けられている。メインロープ５の両端側は昇降路１内に引き落とされ、その一方側の端末に乗りかご６が、他端側の端末につり合い重り７がそれぞれ連結され、これら乗りかご６及びつり合い重り７が昇降路１内に吊り下げられている。そして巻上機３が起動し、トラクションシーブ４が回転してメインロープ５が走行することにより乗りかご６とつり合い重り７が昇降路１内で互いに逆方向に昇降移動する。
【００１４】
機械室２にはエレベータを制御する制御盤１０が設けられ、この制御盤１０と乗りかご６とがテールコード１１で連結されている。前記巻上機３は前記制御盤１０により制御される。建屋の各階のエレベータホールには、それぞれかご呼び登録用のホールボタン１２が設けられている。各階のエレベータホールには出入口及びその出入口を開閉するホールドア（共に図示せず）が設けられている。
【００１５】
図２には乗りかご６の側面から見た断面構造を、図３には同じく平面から見た断面構造を示してある。乗りかご６は前面に出入口１５を有し、この出入口１５にかごドア１６が設けられ、このかごドア１６により出入口１５が開閉される。
【００１６】
乗りかご６内には、出入口１５の脇の壁面に操作盤１７が設けられ、出入口１５の奥方側隅部の天井面に例えばドーム型広角式の防犯カメラ１８が取り付けられ、さらに出入口１５の奥方側の壁面上部にアナウンス装置１９が設けられている。アナウンス装置１９は、人感センサ２０及び音声発生器２１を有している。人感センサ２０は、乗りかご６の出入口１５を通る人の動きを例えば赤外線を利用して検知する光学式センサとなっている。
【００１７】
前記アナウンス装置１９の横には、例えば複数のＬＥＤの点灯で所要の文字を表示することが可能な光学表示器２２が設けられている。前記操作盤１７、防犯カメラ１８、人感センサ２０、音声発生器２１及び光学表示器２２はそれぞれ前記テールコード１１を介して機械室２内の制御盤１０に接続されている。
【００１８】
次に、作用について図４のフローチャートを参照しながら説明する。  
エレベータの利用者はエレベータホールにおいて、ホールボタン１２を操作してかご呼びの登録を行なう（Ｓ１）。これに応じて乗りかご６がそのエレベータホールに移動して着床する（Ｓ２）。乗りかご６の着床後、かごドア１６が開く（Ｓ３）。この際、エレベータホールのホールドアもそのかごドア１６と連動して開く。
【００１９】
この後、エレベータの利用者は乗りかご６内に乗り込む。乗りかご６内への利用者の乗り込みの有無は、人感センサ２０により検知される（Ｓ４）。所定時間経過後にも利用者が乗り込まないときには、かごドア１６が閉じる（Ｓ５）。
【００２０】
乗りかご６内に利用者が乗り込み、それが人感センサ２０で検知されたときには、かごドア１６が閉じる（Ｓ６）。乗りかご６内に乗り込んだ利用者は操作盤１７を操作して行先階を登録する。Ｓ６でかごドア１６が閉じかけたときには、人感センサ２０による検知信号に基づいて、音声発生器２１により例えば『防犯カメラが作動しています』というアナウンスが乗りかご６内に流れ、また光学表示器２２のＬＥＤの点灯で『防犯カメラ作動中』の文字が表示され、利用者に防犯カメラの存在が報知される（Ｓ７）。これにより、乗りかご６内に乗った利用者は防犯カメラ１８で乗りかご６内の様子が撮影されていることを認識する。この音声発生器２１による音声のアナウンスは、利用者に不快感を与えないように例えば１回のみ行なわれる。また、光学表示器２２による表示はかごドア１６が閉じ切った後に消える。
【００２１】
この後、乗りかご６は目的の行先階に移動してその行先階に着床する（Ｓ８）。そして着床後にかごドア１６が開き（Ｓ９）、利用者が乗りかご６からその目的階に降りる。
【００２２】
このように、利用者が乗りかご６内に乗り込んだときには、その乗りかご６内の防犯カメラ１８の存在が音声と文字の表示により報知され、このため利用者は防犯カメラ１８の存在を確実に認識する。そして、その防犯カメラ１８の存在による心理的作用で犯罪やマナー違反の抑止効果を確実に高めることができる。
【００２３】
なお、防犯カメラの存在をアナウンスするための音声発生器としては、乗りかご内の操作盤に組み込まれている既存のスピーカーを利用することも可能である。音声によるアナウンスは、乗りかごがエレベータホールに着床し、かごドアが開き始めてから閉じ終わるまでの間の時間帯であれば、いずれの時間帯で行なってもよい。好ましくはかごドアが閉じかけるときに行なうのがよい。
【００２４】
乗りかごがエレベータホールに着床したときに、その乗りかご内が満員で利用者が乗りかごに乗り込まないような場合には、人感センサによる利用者の検知がなく、したがって防犯カメラの存在の報知は行なわれない。
【００２５】
また、音声によるアナウンスは、エレベータホールにおいても行なうようにすることが可能である。この場合には、エレベータホールの操作盤にスピーカーを組み込み、例えば利用者がかご呼び用のホールボタンを操作したときに、音声によるアナウンスで防犯カメラの存在を報知し、さらに乗りかごがそのエレベータホールに着床した際に再度音声によるアナウンスで防犯カメラの存在を報知する。
【００２６】
この発明は、乗りかごの駆動源としての巻上機が昇降路内に設置され、昇降路の上部に機械室のないいわゆるマシンルームレス式のエレベータに適用することが可能で、また乗りかごの吊り下げ方式が１：１ローピング方式である場合でも、２：１ローピング方式である場合であってもよい。
【図面の簡単な説明】
【００２７】
【図１】この発明の一実施形態を示すエレベータの全体の構成図。
【図２】そのエレベータの乗りかごの側面から見た断面構造図。
【図３】そのエレベータの乗りかごの平面から見た断面構造図。
【図４】この発明の一実施形態の作用を説明するためのフローチャート。
【符号の説明】
【００２８】
１…昇降路
２…機械室
３…巻上機
５…メインロープ
６…乗りかご
７…つり合い重り
１０…制御盤
１１…テールコード
１２…ホールボタン
１５…出入口
１６…かごドア
１７…操作盤
１８…防犯カメラ
１９…アナウンス装置
２０…人感センサ
２１…音声発生器
２２…光学表示器
【図１】
2008024414.tif 000003
【図２】
2008024414.tif 000004
【図３】
2008024414.tif 000005
【図４】
2008024414.tif 000006